(57)【要約】      （修正有）【課題】組み立て・製造が極めて簡単で、コストを安価に抑えることができる二重鋼管ブレースを提供する。【解決手段】両端に架構との接合部材５，５が取り付けられる端部部材４，４を有し、軸力管を構成する内管２と、該内管２の外周に２つの端部部材４，４に亘って延びるように配置され、内管の座屈を防止するための補剛管を構成する外管３とからなり、建物の架構内に設置される二重鋼管ブレース１であって、内管２または端部部材４の外周に、外管３との隙間を一定に保つためのリング部材６が設けられ、一方の端部部材４の外周に、外管３の軸方向移動を阻止するためのストッパ７が設けられている。【選択図】図１
0003166077.tif 000002
【実用新案登録請求の範囲】
【請求項１】
両端に架構との接合部材が取り付けられる端部部材を有し、軸力管を構成する内管と、内管の外周に前記２つの端部部材に亘って延びるように配置され、前記内管の座屈を防止するための補剛管を構成する外管とからなり、建物の架構内に設置される二重鋼管ブレースであって、
前記内管または端部部材の外周に、外管との隙間を一定に保つためのリング部材が設けられ、
前記一方の端部部材の外周に、前記外管の軸方向移動を阻止するためのストッパが設けられていることを特徴とする二重鋼管ブレース。
【請求項２】
両端に架構との接合部材が取り付けられる端部部材を有し、軸力管を構成する外管と、外管内に配置され、前記内管の座屈を防止するための補剛管を構成する内管とからなり、建物の架構内に設置される二重鋼管ブレースであって、
前記内管の外周に、外管との隙間を一定に保つためのリング部材が設けられていることを特徴とする二重鋼管ブレース。
【考案の詳細な説明】
【技術分野】
【０００１】
この考案は、二重鋼管ブレースに関し、さらに詳細には、建物の耐震性を高めるためにその架構に組み込まれる二重鋼管ブレースに関する。
【背景技術】
【０００２】
建物の耐震工法として、その架構に鋼管ブレースを組み込む技術が知られている。図３は、鋼管ブレースによる耐震工法の一例を示している。この例では架構５０の２つの上側コーナー部の双方にガゼットプレート５１が設けられ、架構５０の下側の水平枠部材５３の中央にガゼットプレート５２が設けられている。鋼管ブレース５４は上側のガゼットプレート５１と下側のガゼットプレート５２との間に取り付けられる。具体的には、鋼管ブレース５４は両端部にクレビスアイ５５が取り付けられ、このクレビスアイ５５がピンを介してガゼットプレート５１，５２に取り付けられる。
【０００３】
地震時において架構に水平荷重が加わると、鋼管ブレース５４が荷重に対抗し、耐震機能を発揮する。その際、鋼管ブレース５４には軸方向の引っ張り及び圧縮の荷重が作用し、圧縮荷重により鋼管ブレース５４に座屈変形が生じるという問題が発生する。このような鋼管ブレース５４の座屈変形を防止するために、軸力管と補剛管とで二重管とした二重鋼管ブレースが開発されている。
【０００４】
例えば、特許文献１には、内管を軸力管とし、外管を補剛管とした二重管型構造部材が開示されている。このような二重鋼管ブレースによれば、地震時に軸力管である内管に圧縮荷重が加わった場合、内管が座屈変形しようとしても外管である補剛管に当接するので、座屈を抑制することができる。しかしながら、同文献記載のブレースでは、内管の外周に隙間を周方向に関して一定にして外管を取り付けるにあたり、点溶接やビス等で固定しているので、組み立て・製造が面倒である。
【先行技術文献】
【特許文献】
【０００５】
【特許文献１】特開平８−６８１１０号公報
【考案の概要】
【考案が解決しようとする課題】
【０００６】
この考案は上記のような技術的背景に基づいてなされたものであって、次の目的を達成するものである。
この考案の目的は、組み立て・製造が極めて簡単で、コストを安価に抑えることができる二重鋼管ブレースを提供することにある。
【課題を解決するための手段】
【０００７】
この考案は上記課題を達成するために、次のような手段を採用している。
すなわち、この考案は、両端に架構との接合部材が取り付けられる端部部材を有し、軸力管を構成する内管と、内管の外周に前記２つの端部部材に亘って延びるように配置され、前記内管の座屈を防止するための補剛管を構成する外管とからなり、建物の架構内に設置される二重鋼管ブレースであって、
前記内管または端部部材の外周に、外管との隙間を一定に保つためのリング部材が設けられ、
前記一方の端部部材の外周に、前記外管の軸方向移動を阻止するためのストッパが設けられていることを特徴とする二重鋼管ブレースにある。
【０００８】
また、この考案は、両端に架構との接合部材が取り付けられる端部部材を有し、軸力管を構成する外管と、外管内に配置され、前記内管の座屈を防止するための補剛管を構成する内管とからなり、建物の架構内に設置される二重鋼管ブレースであって、
前記内管の外周に、外管との隙間を一定に保つためのリング部材が設けられていることを特徴とする二重鋼管ブレースにある。
【考案の効果】
【０００９】
この考案によれば、内管と外管とを溶接等により固定することなく、単に嵌合するだけで二重鋼管ブレースを組み立て・製造することができるので、製造コストを安価に抑えることができる。
【図面の簡単な説明】
【００１０】
【図１】この考案の実施形態を示し、（ａ）は外管、（ｂ）は内管、（ｃ）は二重鋼管ブレースを示している。
【図２】この考案の別の別の実施形態を示し、（ａ）は内管、（ｂ）は二重鋼管ブレースを示している。
【図３】鋼管ブレースの設置状態を示す図である。
【考案を実施するための形態】
【００１１】
この考案の実施形態を図面を参照しながら以下に説明する。図１は、この考案による二重鋼管ブレースを示している。二重鋼管ブレース１は同図（ｃ）に示され、軸力管を構成する内管２と補剛管を構成する外管３とからなっている。同図（ａ），（ｂ）は、それぞれ外管３及び内管２を単独で示したものである。
【００１２】
軸力管を構成する内管２の両端部には、環状の端部部材４，４が溶接により固定されている。端部部材４，４の内周には雌ねじが形成され、この雌ねじ部にクレビスアイ５の雄ねじ部がねじ込まれ、固定されている。クレビスアイ５は図３に例示したように、架構５０に設けられたガゼットプレート５１，５２にピンを介して取り付けられる。
【００１３】
各端部部材４，４の外周にはリング部材６，６が設けられている。このリング部材６，６は内管２と外管３との隙間を周方向に関して一定に保つためのもので、例えばゴムやプラスチック、金属などで作ることができる。リング部材６，６は内管２の外周に設けるようにしてもよい。
【００１４】
一方の端部部材４の外周には、リング部材６の外側に位置するようにストッパ７が設けられている。このストッパ７は外管３の軸方向の移動を阻止するためのもので、例えば金属リングからなり溶接により端部部材４に固定される。
【００１５】
補剛管を構成する外管３はストッパ７の無い他方の端部部材４側から内管２の外周に嵌合される。外管３は、内管２に固定されることなく単に嵌合されるだけである。したがって、二重鋼管ブレース１を極めて容易に組み立て・製造することができる。
【００１６】
このようにして組み立て・製造された二重鋼管ブレース１は、図３に示した設置例と同様に、架構５０の上下間に斜め方向に取り付けられるが、外管３を内管２の外周に保持するためには、外管３の抜け落ちを防止するストッパ７があれば十分である。外管３を内管２に溶接やビス止め等によって固定しなくとも、補剛作用を機能させるうえで何ら問題がない。また、リング部材６によって内管２と外管３との間の間隙が一定に保たれ、地震時に内管２に軸方向圧縮力が作用しても外管３が効果的に補剛し、内管２の座屈を防止できる。また、リング部材６によって外管３が半径方向に移動することがないので、運搬時や施工時における外管３のがたつきによる異音の発生が防止され、傷が付くのも防止される。
【００１７】
図２は、この考案の別の実施形態を示している。二重鋼管ブレース１１は同図（ｂ）に示され、上記実施形態とは逆に、外管１３が軸力管を構成し、内管１２が補剛管を構成している。同図（ａ）は、内管１２を単独で示したものである。
【００１８】
この実施形態では、軸力管を構成する外管１３の両端部に端部部材４，４が溶接により固定されている。端部部材４，４にクレビスアイ５がねじにより固定されるのは上記実施形態と同様である。リング部材６は内管１２の外周に設けられている。
【００１９】
内管２２は端部部材４を固定する前に、外管１３内に挿入される。内管１２は、外管１３に固定されることなく単に挿入・嵌合されるだけである。したがって、この実施形態の場合も、二重鋼管ブレース１を極めて容易に組み立て・製造することができる。
【００２０】
このようにして組み立て・製造された二重鋼管ブレース１１も、図３に示した例と同様に、架構５０の上下間に斜め方向に取り付けられるが、内管１２は端部部材４の端面に当接するので、外管１３の内周に保持される。また、リング部材６によって内管１２と外管１３との間の間隙が一定に保たれ、地震時に外管１３に軸方向圧縮力が作用しても内管１２が効果的に補剛し、外管１３の座屈を防止できる。また、リング部材６によって内管１２が半径方向に移動することがないので、運搬時や施工時における内管１２のがたつきによる異音の発生が防止される。
【符号の説明】
【００２１】
１      二重鋼管ブレース
２      内管
３      外管
４      端部部材
５      クレビスアイ
６      リング部材
７      ストッパ
１１      二重鋼管ブレース
１２      内管
１３      外管
【図１】
0003166077.tif 000003
【図２】
0003166077.tif 000004
【図３】
0003166077.tif 000005